(57)【要約】      （修正有）【課題】表示パネルと底面カバーを含む５Ｖ省エネ型携帯式のＤＶＤプレーヤーを提供する。【解決手段】ＤＶＤプレーヤーの表示パネルは回転軸１００を介して底面カバーにヒンジ接続し、反転可能である。底面カバーにはＰＣＢ基板５１が設置され、ＰＣＢ基板は電源と接続し、ＰＣＢ基板に省エネ回路と昇圧回路が設けられる。本考案によって、１．電源供給設計は高昇圧変換効率９０％の技術を採用し、低電圧５Ｖ電源の供給だけで本体の稼働と充電を実現でき、広い範囲の電源が使用可能で、利用者の携帯に便利であり、２．ＤＶＤプレーヤーは、外観設計がコンパクトで、表示パネル部分は自由に回転でき、多くの機能が一体になって、家庭、車載、旅行などさまざまな場面に適し、ユーザーの携帯や使用に便利である。【選択図】図１
0003228893.tif 000002
【実用新案登録請求の範囲】
【請求項１】
５Ｖ省エネ型携帯式ＤＶＤプレーヤーであって、
表示パネルと底面カバーを含み、
表示パネルは回転軸を介して底面カバーにヒンジ接続し、反転可能であり、
底面カバーにはＰＣＢ基板が設置され、ＰＣＢ基板は電源と接続し、ＰＣＢ基板に省エネ回路と昇圧回路とが設けられる、
ことを特徴とする５Ｖ省エネ型携帯式ＤＶＤプレーヤー。
【請求項２】
前記回転軸の一端は底面カバーに固定接続し、他端は軸スリーブに固定接続し、前記軸スリーブは前記表示パネルに係合し、回転接続する、ことを特徴とする請求項１に記載の５Ｖ省エネ型携帯式ＤＶＤプレーヤー。
【請求項３】
前記回転軸に位置決め穴が設けられ、前記底面カバーに位置決め柱が設けられ、前記位置決め柱は前記位置決め穴に接続する、ことを特徴とする請求項１に記載の５Ｖ省エネ型携帯式ＤＶＤプレーヤー。
【請求項４】
前記回転軸は第一回転軸と第二回転軸とを含み、前記第一回転軸は前記第二回転軸にヒンジ接続する、ことを特徴とする請求項１に記載の５Ｖ省エネ型携帯式ＤＶＤプレーヤー。
【請求項５】
前記第一回転軸と前記第二回転軸とにネジ穴が設けられ、ネジは前記ネジ穴を貫通して前記回転軸と前記軸スリーブとを固定する、ことを特徴とする請求項１に記載の５Ｖ省エネ型携帯式ＤＶＤプレーヤー。
【考案の詳細な説明】
【技術分野】
【０００１】
本考案は電子製品分野、特に５Ｖ省エネ型携帯式のＤＶＤプレーヤーに関する。
【背景技術】
【０００２】
数字多機能ディスク(Digital Versatile Disc)は、ＤＶＤと略称され、一般的に標準テレビの解像度でデータを記録するディスクメモリである。ＤＶＤプレーヤーはケース、表示パネル、ＤＶＤローダー（ｌｏａｄｅｒ）、マザーボード及びバッテリーで構成され、現状のＤＶＤプレーヤーは、下記欠点を有するので、解消が期待される。
１．ＤＶＤプレーヤーの体積が割と大きくて、一部の機能をリモコンでしか使えないから、使用も携帯も不便である。
２．ＤＶＤプレーヤーは必ず専用の電源で電気を供給し、外で使用される際低充電量になったら、車載電源と家用電源で電気を供給する必要がある。
【考案の概要】
【考案が解決しようとする課題】
【０００３】
現状技術不足を克服する為、本考案は５Ｖ省エネ型携帯式ＤＶＤプレーヤーを提供する。
【課題を解決するための手段】
【０００４】
本考案の５Ｖ省エネ型携帯式ＤＶＤプレーヤーは、表示パネルと底面カバーを含み、表示パネルは回転軸を介して底面カバーにヒンジ接続し、反転可能であり、底面カバーにはＰＣＢ基板が設置され、ＰＣＢ基板は電源と接続し、ＰＣＢ基板に省エネ回路と昇圧回路とが設けられる。
【０００５】
前記回転軸の一端は底面カバーに固定接続し、他端は軸スリーブに固定接続し、前記軸スリーブは前記表示パネルに係合し、回転接続することが好ましい。
【０００６】
前記回転軸に位置決め穴が設けられ、前記底面カバーに位置決め柱が設けられ、前記位置決め柱は前記位置決め穴に接続することが好ましい。
【０００７】
前記回転軸は第一回転軸と第二回転軸とを含み、前記第一回転軸は前記第二回転軸にヒンジ接続することが好ましい。
【０００８】
前記第一回転軸と前記第二回転軸とにネジ穴が設けられ、ネジは前記ネジ穴を貫通して前記回転軸と前記軸スリーブとを固定することが好ましい
【考案の効果】
【０００９】
本考案は以下の効果を有する。
１．電源供給設計は高昇圧変換効率９０％の技術を採用し、低電圧５Ｖ電源の供給だけで本体の稼働と充電を実現でき、広い範囲の電源が使用可能で、利用者の携帯に便利である。
２．ＤＶＤプレーヤーは、外観設計がコンパクトで、表示パネル部分は自由に回転でき、多くの機能が一体になって、家庭、車載、旅行などさまざまな場面に適し、ユーザーの携帯や使用に便利である。
【図面の簡単な説明】
【００１０】
【図１】本考案の構造図である。
【図２】本考案の表示パネルの構造図である。
【図３】本考案の底面カバーの構造図である。
【図４】本考案の回転軸の構造図である。
【考案を実施するための形態】
【００１１】
以下、本考案の図面を実施例を通じて、本考案の実施例の技術手段を明確且つ完全的に記載する。
【００１２】
図１〜３に示すように、５Ｖ省エネ型携帯式ＤＶＤプレーヤーは表示パネル１と底面カバー２を含み、表示パネル１は回転軸１００を介して底面カバー２にヒンジ接続し、反転可能であり、底面カバー２にはＰＣＢ基板５１が設置され、ＰＣＢ基板５１は電源と接続し、ＰＣＢ基板５１に省エネ回路と昇圧回路とが設けられる。省エネ回路と昇圧回路とは一般的な従来回路で、昇圧回路は５Ｖを９Ｖ〜１２Ｖに上昇でき、プレーヤーの稼動を実現できる。
【００１３】
図２に示すように、表示パネルは、クラムシェル式カバー１１、ディスプレイ１２およびパネルケース１３を含み、ディスプレイ１２は、パネルケース１３に貼り合わせ、クラムシェル式カバー１１の内側に固定されている。
【００１４】
図３に示すように、底面カバー２には、フェースプレート４１、ローダー４２、ボタン４４、総合ボタン４５およびキーＰＣＢ基板４６が設置される。フェースプレート４１は底面カバー２の中にヒンジ接続し、ローダー４２が底面カバー２の中に設置され、ローダー４２の上にＤＶＤディスクが置かれる。ボタン４４、総合ボタン４５およびキーＰＣＢ基板４６が順に貼り合わされ、底面カバー２中に設置され、キーＰＣＢ基板４６がとＰＣＢ基板５１と接続する。
【００１５】
底面カバー２には、ＰＣＢ基板５１、リチウムバッテリー５２、機能ボタン５３および電源スイッチ５４が設置され、ＰＣＢ基板５１上に充電口５１１が設置され、充電口５１１は移動電源と接続し、ＤＶＤプレーヤーに電源供給できる。リチウムバッテリー５２がＰＣＢ基板５１と接続し、機能ボタン５３と電源スイッチ５４とは底面カバー２の片側に設置され、機能ボタン５３がＰＣＢ基板５１と接続し、電源スイッチ５４がＰＣＢ基板５１と接続する。
【００１６】
図１と図４に示すように、表示パネル１は、回転軸１００を介して底面カバーにヒンジ接続し、反転可能である。回転軸１００の一端が底面カバー２に固定され、他端が軸スリーブに固定接続する。軸スリーブ２００は表示パネル１に係合し、回転接続する。具体的に、回転軸１００に位置決め穴１０１が設けられ、底面カバー２に位置決め柱５００が設けられ、位置決め柱５００は位置決め穴１０１に接続する。回転軸１００は第一回転軸１０２と第二回転軸１０３とを含み、第一回転軸１０２は第二回転軸１０３にヒンジ接続する。第一回転軸１０２と第二回転軸１０３とにネジ穴１０４が設けられ、ネジはネジ穴１０４を貫通して回転軸１００と軸スリーブ２００とを固定する。表示パネル１はスリーブ２００に係合し、回転接続する。
【００１７】
表示パネルは、スリーブ２００と回転軸１００との連結によって筐体に垂直な空間で３６０度回転し、表示パネルは、スリーブ２００と回転軸１００との連結によって筐体の縁で１８０度回転する。
【符号の説明】
【００１８】
１  表示パネル、２  底面カバー、１１  クラムシェル式カバー、１２  ディスプレイ、１３  パネルケース、４１  フェースプレート、４２  ローダー、４３  スイッチ、４４  ボタン、４５  総合ボタン、４６  キーＰＣＢ基板、５１  ＰＣＢ基板、５２  リチウムバッテリー、５３  機能ボタン、５４  電源スイッチ、１００  回転軸、１０１  位置決め穴、１０２  第一回転軸、１０３  第二回転軸、１０４  ネジ穴、２００  軸スリーブ、５１１  充電口。
【図１】
0003228893.tif 000003
【図２】
0003228893.tif 000004
【図３】
0003228893.tif 000005
【図４】
0003228893.tif 000006
【手続補正書】
【提出日】令和2年8月13日(2020.8.13)
【手続補正１】
【補正対象書類名】実用新案登録請求の範囲
【補正対象項目名】全文
【補正方法】変更
【補正の内容】
【実用新案登録請求の範囲】
【請求項１】
５Ｖ省エネ型携帯式ＤＶＤプレーヤーであって、
表示パネルと底面カバーを含み、
表示パネルは回転軸を介して底面カバーにヒンジ接続し、反転可能であり、
底面カバーにはＰＣＢ基板が設置され、ＰＣＢ基板は電源と接続し、ＰＣＢ基板に省エネ回路と昇圧回路とが設けられる、
ことを特徴とする５Ｖ省エネ型携帯式ＤＶＤプレーヤー。
【請求項２】
前記回転軸の一端は底面カバーに固定接続し、他端は軸スリーブに固定接続し、前記軸スリーブは前記表示パネルに係合し、回転接続する、ことを特徴とする請求項１に記載の５Ｖ省エネ型携帯式ＤＶＤプレーヤー。
【請求項３】
前記回転軸に位置決め穴が設けられ、前記底面カバーに位置決め柱が設けられ、前記位置決め柱は前記位置決め穴に接続する、ことを特徴とする請求項１に記載の５Ｖ省エネ型携帯式ＤＶＤプレーヤー。
【請求項４】
前記回転軸は第一回転軸と第二回転軸とを含み、前記第一回転軸は前記第二回転軸にヒンジ接続する、ことを特徴とする請求項２に記載の５Ｖ省エネ型携帯式ＤＶＤプレーヤー。
【請求項５】
前記第一回転軸と前記第二回転軸とにネジ穴が設けられ、ネジは前記ネジ穴を貫通して前記回転軸と前記軸スリーブとを固定する、ことを特徴とする請求項４に記載の５Ｖ省エネ型携帯式ＤＶＤプレーヤー。